(57)【特許請求の範囲】
【請求項１】
法枠用型枠を構成する網状型枠部材の外側に、その網状型枠部材の少なくとも下部に対向した状態に障壁部を配設して同網状型枠部材との間に溜り部を形成し、前記網状型枠部材の網目を通過して排出される吹付け時の跳ね返り分をその溜り部に収容するように構成したことを特徴とする法枠用型枠。
【請求項２】
前記障壁部を前記網状型枠部材より網目の細かい網状部材により構成したことを特徴とする請求項１記載の法枠用型枠。
【請求項３】
前記障壁部を前記板状部材により構成したことを特徴とする請求項１記載の法枠用型枠。
【発明の詳細な説明】
【０００１】
【発明の属する技術分野】
本発明は、斜面に対する安定化工事などのために使用される法枠形成用の型枠に関する。より詳しくは、コンクリートやモルタルなどの吹付け時に生じる跳ね返り分の型枠外への飛散を防止するための改良技術に関する。
【０００２】
【従来の技術】
法枠用型枠に関する従来技術として、網状の型枠部材を用いて対向設置し、それらの網状型枠部材の間にコンクリートやモルタルを吹付けることにより法枠を形成する工法が広く知られている。そして、この従来工法に使用される網状型枠部材としては、網目が１〜５ｃｍ程度のクリンプ金網やエキスパンドメタルなどの網状部材が一般的に使用されている。このように網目の比較的大きな網状部材を使用するのは、型枠に対してコンクリート等を吹付けた際に生じる跳ね返り分が内方に残存すると法枠の仕上り品質を低下させる原因になることから、その跳ね返り分は網目を介して型枠外へ排出させる方が望ましいからである。また、このような観点から、網状型枠部材の下方の網目を大きく形成したものが知られている（特公平３−８０２１３号公報）。
【０００３】
【発明が解決しようとする課題】
ところで、前記従来技術では、型枠に対してコンクリート等を吹付けた際に生じる跳ね返り分は、前述のように前記網状型枠部材の網目を介して型枠外へ排出されるので、法枠の仕上り品質の向上には有効であるが、その型枠外へ排出された跳ね返り分が他の問題を誘発している。すなわち、型枠外へ排出された跳ね返り分をそのまま放置すれば、景観を害したり、法枠に囲まれた空間に植生を行う場合などには、その育成を阻害する原因になる。また、縦枠と横枠との交点部などにおいては、その跳ね返り分が他の型枠部分に飛散して品質の低下を招く原因になることがある。そして、以上の問題を解決すべく、その跳ね返り分を除去して片付けようとすれば、その作業に大きな手間がかかるだけでなく、産業廃棄物を増やす原因にもなる。
【０００４】
本発明は、このような従来技術の事情に鑑みてなされたもので、その目的とするところは、法枠用型枠を構成する網状型枠部材の網目からの跳ね返り分の排出作用を何ら制約せずに法枠の仕上り品質の低下を招くことなく、簡便な方法によりその跳ね返り分の飛散を確実に防止し得る法枠用型枠を提供する点にある。
【０００５】
【課題を解決するための手段】
本発明は、前記課題を解決するため、法枠用型枠を構成する網状型枠部材の外側に、その網状型枠部材の少なくとも下部に対向した状態に障壁部を配設して同網状型枠部材との間に溜り部を形成し、前記網状型枠部材の網目を通過して排出される吹付け時の跳ね返り分をその溜り部に収容するという技術手段を採用した。なお、前記障壁部は、前記網状型枠部材より網目の細かい網状部材や板状部材のように前記跳ね返り分が容易には通過できない部材によって構成される。
【０００６】
【発明の実施の形態】
本発明は、網状の型枠用部材を使用して法枠用型枠を構成するものであれば、別体に形成した平板状の網状型枠部材を地盤上に平行に立設することにより所定の法枠用型枠を形成するタイプのものや、一体的に構成された網状型枠部材を用いて所定形状からなる法枠用型枠に折曲げ形成するタイプのものなど、種々の形態に広く適用が可能である。また、その網状型枠部材の内方に設置される間隔保持部材の具体的な構造や鉄筋の設置の仕方などには関わらずに広い適用が可能である。また、網状型枠部材自体の構成としては、全体的に同じ網目から形成したものでも、下方を大きな網目に形成したものでもよい。また、前記障壁部としては、前記跳ね返り分の飛散を有効に防止できるものであれば、網目の細かい網状部材や板状部材に限らず、パンチングメタルのようなものでもよい。また、前記跳ね返り分は網状型枠部材の下方部を通過するものが多いことから、前記障壁部の設置高さとしては、少なくともその下方部の跳ね返り分の飛散を有効に阻止し得るものであれば、型枠の高さより低く設定することも可能である。さらに、前記障壁部は、網状型枠部材の下部を折曲げて一体的に形成したり、別体に形成した障壁部材を付設するように構成してもよい。
【０００７】
【実施例】
以下、図面を用いて本発明の実施例に関して説明する。図１及び図２は本発明の第１実施例の設置状態を示したもので、図１はコンクリート等を吹付ける前の設置状態を示した概略構成図、図２はコンクリート等を吹付けた後の完成状態を示した概略構成図である。図中、１は法枠用型枠で、地盤２上に対向して設置される網状型枠部材３，４と、それらの網状型枠部材３，４を所定間隔に連結するための間隔保持部材５から構成されている。なお、間隔保持部材５自体の具体的な構成に関しては、本実施例のように井桁状のもののほか、種々のタイプのものが使用可能である。また、法枠用型枠１は、間隔保持部材５を介して折畳み可能に構成したものでも、固定式のものでもよい。図中、６，７は間隔保持部材５の上下部に支持された鉄筋である。
【０００８】
次に、本発明の特徴部分に関して説明する。本実施例では、図示のように、前記網状型枠部材３，４の外側に、それらの網状型枠部材３，４より細かい網目からなる網状部材８，９を用いて前記障壁部を形成し、その間に網状型枠部材３，４の網目を介して排出するコンクリート等の吹付け時の跳ね返り分を収容するための溜り部１０，１１を形成している。図示のように、それらの網状部材８，９からなる障壁部は、網状型枠部材３，４より低く設定され、適宜の支持部材１２，１３を介して支持されている。
【０００９】
しかして、地盤２上に設置された前記法枠用型枠１の網状型枠部材３，４間に対するコンクリートやモルタルなどの吹付けが開始されると、前述のように前記網状型枠部材３，４の網目が大きく設定されていることから、そのコンクリート等の跳ね返り分はそれらの網目を通過して排出することになる。そして、その排出したコンクリート等の跳ね返り分は、障壁部を構成する網状部材８，９の網目が小さく通過が困難なため、溜り部１０，１１に収容されることになる。しかる後、図２に示したように、網状型枠部材３，４及び網状部材８，９に対して所定のかぶりをとって外側面を仕上げれば法枠１４が形成される。なお、障壁部を前記網状部材８，９に代えて板状部材を用いて構成すれば、その外側面の仕上げは省略可能であり、溜り部１０，１１に収容された跳ね返り分は網状型枠部材３，４のかぶりとして有効に機能することになる。
【００１０】
図３〜図１４は本発明の他の実施例の要部を示した概略構成図である。図３に示した第２実施例は、前記第１実施例の変形例であり、前記障壁部として前記網状部材８，９に代えて網状型枠部材３，４と同じ高さからなる網状部材１５，１６を使用し、その間に溜り部１７，１８を形成したものである。なお、本実施例において、前記網状部材１５，１６に代えて板状部材を使用すれば、コンクリート等の吹付け後の外側面の仕上げが省略でき作業性を向上できる。
【００１１】
図４に示した第３実施例は、前記網状型枠部材３，４に代えて縦幅の広い網状型枠部材１９，２０を使用し、その中間で折曲げて立ち上がり部２１，２２を形成し、その内側に網目の細かい網状部材２３，２４を付設して溜り部２５，２６を形成したものである。図５に示した第４実施例はその変形例であり、前記網状型枠部材３，４の略２倍の縦幅を有する網状型枠部材２７，２８を使用し、その中間で折曲げて同じ高さの立ち上がり部２９，３０を形成し、その内側に網目の細かい網状部材３１，３２を付設して溜り部３３，３４を形成したものである。なお、前記立上がり部２１，２２ないし２９，３０と網状部材２３，２４ないし３１，３２とは適宜手段によって連結する。また、その網状部材２３，２４ないし３１，３２に代えて板状部材を用いる場合には、立上がり部２１，２２ないし２９，３０の外側面に付設する方が作業後の取外し作業が簡便である。
【００１２】
図６に示した第５実施例は、前記網状型枠部材３，４の下部を延長して網目の細かい部分を連設した網状型枠部材３５，３６を使用し、その中間で折曲げて網目の細かい立上がり部３７，３８を形成したものである。そして、その網目の細かい網状部材からなる立上がり部３７，３８により前記障壁部を構成し、コンクリート等の跳ね返り分を収容する溜り部３９，４０を形成している。図７に示した第６実施例は、その第５実施例の変形例であり、前記立上がり部３７，３８の上端部を折曲げて形成した連結部４１，４２を介して所定間隔に支持するように構成したものである。図８に示した第７実施例は、その第６実施例の変形例であり、前記網状型枠部材３５，３６に代えて型枠部を構成する網目の大きい部分と前記障壁部を構成する網目の細かい部分とをほぼ等しい幅に形成した網状型枠部材４３，４４を使用し、その中間で折曲げて網目の細かい立上がり部４５，４６を形成したものである。そして、その網目の細かい網状部材からなる立上がり部４５，４６により前記障壁部を構成し、コンクリート等の跳ね返り分を収容する溜り部４７，４８を形成するとともに、その上端部を折曲げて形成した連結部４９，５０を介して所定間隔に支持するように構成している。
【００１３】
図９〜図１４は他のタイプの実施例を示したもので、一体的に構成された網状の型枠用部材を折曲加工することにより法枠用型枠を形成するとともに、その外側に網目の細かい障壁部を一体的に形成した例を示したものである。図９に示した第８実施例は、一体形成された長尺の網状型枠部材を用いて両側部５１，５２及び上面部５３からなる台形断面に折曲げ形成することにより一体的な法枠用型枠５４を形成し、さらに前記両側部５１，５２の外側に前記障壁部を構成する網目の細かい立上がり部５５，５６を折曲げ形成して溜り部５７，５８を形成したものである。図１０に示した第９実施例は、その第８実施例の変形例であり、前記上面部５３に鉄筋５９用の凹部６０を折曲げ形成したものである。
【００１４】
図１１に示した第１０実施例は、第８実施例と同様に、一体形成された長尺の網状型枠部材を用いて両側部６１，６２及び上面部６３からなる略半楕円形断面に折曲げ形成することにより一体的な法枠用型枠６４を形成し、さらに前記両側部６１，６２の外側に前記障壁部を構成する網目の細かい立上がり部６５，６６を折曲げ形成して溜り部６７，６８を形成したものである。また、図１２〜図１４に示した第１１実施例〜第１３実施例は、その第１０実施例の変形例であり、前記上面部６３にそれぞれ鉄筋６９用の凹部７０〜７３を折曲げ形成したものである。
【００１５】
【発明の効果】
本発明によれば、次の効果を得ることができる。
（１）法枠用型枠を構成する網状型枠部材の網目を通過して型枠外へ排出されたコンクリート等の跳ね返り分は、その網状型枠部材と障壁部との間に形成した溜り部に収容されるので、従来のように外部へ飛散することは防止される。
（２）したがって、外部へ飛散したコンクリート等の跳ね返り分によって景観や植生した植物の生育が害されるという従来の弊害は解消される。
（３）また、外部へ飛散したコンクリート等の跳ね返り分を除去する手間が省けるだけでなく、産業廃棄物を削減することができる。
（４）しかも、法枠用型枠を構成する網状型枠部材の網目を通過して排出される跳ね返り分に対しては何らの制約も加えていないから、法枠の仕上り品質を維持することが可能である。
（５）前記網状型枠部材と障壁部との間に収容されたコンクリート等の跳ね返り分を法枠のかぶり用のコンクリートとして利用し得るので経済性もよい。
（６）前記障壁部として型枠と同じ高さの板状部材を使用すれば、外側面の仕上げ作業を省略することも可能である。
【図面の簡単な説明】
【図１】  本発明の第１実施例のコンクリート等を吹付ける前の設置状態を示した概略構成図である。
【図２】  同実施例の完成状態を示した概略構成図である。
【図３】  本発明の第２実施例の要部を示した概略構成図である。
【図４】  本発明の第３実施例の要部を示した概略構成図である。
【図５】  本発明の第４実施例の要部を示した概略構成図である。
【図６】  本発明の第５実施例の要部を示した概略構成図である。
【図７】  本発明の第６実施例の要部を示した概略構成図である。
【図８】  本発明の第７実施例の要部を示した概略構成図である。
【図９】  本発明の第８実施例の要部を示した概略構成図である。
【図１０】  本発明の第９実施例の要部を示した概略構成図である。
【図１１】  本発明の第１０実施例の要部を示した概略構成図である。
【図１２】  本発明の第１１実施例の要部を示した概略構成図である。
【図１３】  本発明の第１２実施例の要部を示した概略構成図である。
【図１４】  本発明の第１３実施例の要部を示した概略構成図である。
【符号の説明】
１…法枠用型枠、２…地盤、３，４…網状型枠部材、５…間隔保持部材、６，７…鉄筋、８，９…網状部材、１０，１１…溜り部、１２，１３…支持部材、１４…法枠、１５，１６…網状部材、１７，１８…溜り部、１９，２０…網状型枠部材、２１，２２…立上がり部、２３，２４…網状部材、２５，２６…溜り部、２７，２８…網状型枠部材、２９，３０…立ち上がり部、３１，３２…網状部材、３３，３４…溜り部、３５，３６…網状型枠部材、３７，３８…立上がり部、３９，４０…溜り部、４１，４２…連結部、４３，４４…網状型枠部材、４５，４６…立上がり部、４７，４８…溜り部、４９，５０…連結部、５１，５２…両側部、５３…上面部、５４…法枠用型枠、５５，５６…立上がり部、５７，５８…溜り部、５９…鉄筋、６０…凹部、６１，６２…両側部、６３…上面部、６４…法枠用型枠、６５，６６…立上がり部、６７，６８…溜り部、６９…鉄筋、７０〜７３…凹部
【図１】
0003874908.tif 000002
【図２】
0003874908.tif 000003
【図３】
0003874908.tif 000004
【図４】
0003874908.tif 000005
【図５】
0003874908.tif 000006
【図６】
0003874908.tif 000007
【図７】
0003874908.tif 000008
【図８】
0003874908.tif 000009
【図９】
0003874908.tif 000010
【図１０】
0003874908.tif 000011
【図１１】
0003874908.tif 000012
【図１２】
0003874908.tif 000013
【図１３】
0003874908.tif 000014
【図１４】
0003874908.tif 000015